(57)【要約】【課題】被写体を照明する光源としてＲ，Ｇ，Ｂ三色のＬＥＤを有する撮像装置において、同じ明るさをより少ない電流で得ることで、シャッターチャンスを逸することがないようにすること。【解決手段】光量が少ないときはＲ，Ｇ，Ｂ三色のＬＥＤを発光させ白色を得て撮像する撮像装置１は、電池残量検出部１３が撮像時に電池７の残容量が終了状態に近いと判断したときは、被写体の照明としてＲ＿ＬＥＤ９、Ｇ＿ＬＥＤ１０、Ｂ＿ＬＥＤ１１のうち最も発行効率のよいＬＥＤのみを発光させる。【選択図】図１
2007174563.tif 000002
【特許請求の範囲】
【請求項１】
被写体を撮像し、画像データを出力する撮像部と、
電池の残容量を検出する検出部と、
被写体を照明する光源としてＲ（赤），Ｇ（緑），Ｂ（青）三色のＬＥＤを有し、
光量が少ないときはＲ，Ｇ，Ｂ三色のＬＥＤを発光させ白色を得て撮像する撮像装置において、
撮像時に電池の残容量が終了状態に近いときは、被写体の照明としてＲ，Ｇ，Ｂのうち最も発行効率のよいＬＥＤのみを発光させることを特徴とする撮像装置。
【請求項２】
被写体を撮像し、画像データを出力する撮像部と、
電源供給能力の異なる２種類以上の電池を電源とし、その内どちらから電源が供給されているか判別する検出部と、
被写体を照明する光源としてＲ，Ｇ，Ｂ三色のＬＥＤを有し、
光量が少ないときはＲ，Ｇ，Ｂ三色のＬＥＤを発光させ白色を得て撮像する撮像装置において、
撮像時に前記２種類以上の電池の内、電源供給能力の劣る電池から電源が供給されているときは、被写体の照明としてＲ，Ｇ，Ｂのうち最も発行効率のよいＬＥＤのみを発光させることを特徴とする撮像装置。
【請求項３】
前記電池の残容量が終了状態に近いときは、被写体の照明としてＧのＬＥＤを発光させることを特徴とする請求項１または２記載の撮像装置。
【請求項４】
前記電池の残容量が終了状態に近いときは、被写体の照明としてＲ，Ｇ，Ｂのうち最も発行効率のよいＬＥＤのみを白色と同じ光量を得るように発光させ、最も発光効率のよいＬＥＤの色に合わせたＷＢを行なうことを特徴とする請求項１から３のいずれか１項に記載の撮像装置。
【請求項５】
前記電池の残容量が終了状態に近いときは、被写体の照明としてＲ，Ｇ，Ｂのうち最も発行効率のよいＬＥＤのみを白色と同じ光量を得るように発光させることとし、最も発光効率のよいＬＥＤをプリ発光させ、それから得られた評価値に基づいてＡＷＢを行ない、その結果により最も発光効率のよいＬＥＤで本発光することを特徴とする請求項１から３のいずれか１項に記載の撮像装置。
【発明の詳細な説明】
【技術分野】
【０００１】
本発明は、被写体を照明する光源としてＬＥＤを有する撮像装置に関する。
【背景技術】
【０００２】
従来、ストロボ光として、ＬＥＤを光源として被写体に照射し撮像を行なう撮像装置がある。
【０００３】
ここで、照射角の狭い白色ＬＥＤを用いて照射ムラを改善し、撮影視野を効率よく照射することができる技術が提案されている（例えば、特許文献１参照）。
【０００４】
また、撮影用照明装置は、６個の白色ＬＥＤおよび白色ＬＥＤがカメラボディの右上方の上段および下段に横列状に近接して配置され、各白色ＬＥＤは、撮影レンズの画角に対し概略等しいか若干広い照射角の発光照射角を有し、撮影用照明装置は、発光制御手段によって被写体までの撮影距離に応じて発光する白色ＬＥＤの選択が行なわれ、例えば近距離の場合は２個の白色ＬＥＤ、中距離の場合は４個の白色ＬＥＤ、遠距離の場合６個の白色ＬＥＤの全部がそれぞれ発光することで、白色ＬＥＤを複数個使用することで、従来のストロボ発光装置に比べてスペースとコストを大幅に低減させ得ると共に適正な照射光量を被写体に照射することができる技術が提案されている（例えば、特許文献２参照）。
【特許文献１】特開２００２−１４８６８６号公報
【特許文献２】特許第３５８４３５５号公報
【発明の開示】
【発明が解決しようとする課題】
【０００５】
しかしながら、上述した従来例においては次のような問題点があった。
【０００６】
被写体を照射する光源として、従来のキセノン管を用いたストロボをＬＥＤに変更することで、小型化や回路の簡略化によるコストダウン、消費電流の低減を図ることが可能となるが、限られた電源容量である電池を電源とする携帯機器においてはそのＬＥＤの駆動電流でさえ、かなり大きな負荷となり、撮影者が気付かないうちに電池の残容量がなくなってしまい、シャッターチャンスを逸してしまうという問題がある。
【０００７】
また、現在、量産されているＬＥＤの特性としてＲ，Ｇ，ＢのＬＥＤに同じ電流を流した場合、最も発光効率が優れているのはＧであり、次にＲ、そして、Ｂが最も悪い。つまり、Ｒ，Ｇ，ＢのＬＥＤに電流を流して白色を得るには、各色に流す電流は下記のようになる。
Ｂに流す電流＞Ｒに流す電流＞Ｇに流す電流
これより得られる白色の明るさは最も発光効率の悪いＢの明るさに依ってしまう。
【０００８】
これに対し、最も発光効率のよいＬＥＤであるＧのみを点灯させるとすると、Ｒ，Ｇ，Ｂ全てを点灯させ白色を得るときと同じ明るさをより少ない電流で達成できる。
【０００９】
本発明は、上述した事情に鑑みてなされたもので、被写体を照明する光源としてＲ，Ｇ，Ｂ三色のＬＥＤを有する撮像装置において、同じ明るさをより少ない電流で得ることで、シャッターチャンスを逸することがないようにすることを目的としている。
【課題を解決するための手段】
【００１０】
請求項１記載の発明は、被写体を撮像し、画像データを出力する撮像部と、電池の残容量を検出する検出部と、被写体を照明する光源としてＲ（赤），Ｇ（緑），Ｂ（青）三色のＬＥＤを有し、光量が少ないときはＲ，Ｇ，Ｂ三色のＬＥＤを発光させ白色を得て撮像する撮像装置において、撮像時に電池の残容量が終了状態に近いときは、被写体の照明としてＲ，Ｇ，Ｂのうち最も発行効率のよいＬＥＤのみを発光させることを特徴とする撮像装置である。
【００１１】
請求項２記載の発明は、被写体を撮像し、画像データを出力する撮像部と、電源供給能力の異なる２種類以上の電池を電源とし、その内どちらから電源が供給されているか判別する検出部と、被写体を照明する光源としてＲ，Ｇ，Ｂ三色のＬＥＤを有し、光量が少ないときはＲ，Ｇ，Ｂ三色のＬＥＤを発光させ白色を得て撮像する撮像装置において、撮像時に前記２種類以上の電池の内、電源供給能力の劣る電池から電源が供給されているときは、被写体の照明としてＲ，Ｇ，Ｂのうち最も発行効率のよいＬＥＤのみを発光させることを特徴とする撮像装置である。
【００１２】
請求項３記載の発明は、請求項１または２記載の撮像装置において、電池の残容量が終了状態に近いときは、被写体の照明としてＧのＬＥＤを発光させることを特徴とする。
【００１３】
請求項４記載の発明は、請求項１から３のいずれか１項に記載の撮像装置において、電池の残容量が終了状態に近いときは、被写体の照明としてＲ，Ｇ，Ｂのうち最も発行効率のよいＬＥＤのみを白色と同じ光量を得るように発光させ、最も発光効率のよいＬＥＤの色に合わせたＷＢを行なうことを特徴とする。
【００１４】
請求項５記載の発明は、請求項１から３のいずれか１項に記載の撮像装置において、電池の残容量が終了状態に近いときは、被写体の照明としてＲ，Ｇ，Ｂのうち最も発行効率のよいＬＥＤのみを白色と同じ光量を得るように発光させることとし、最も発光効率のよいＬＥＤをプリ発光させ、それから得られた評価値に基づいてＡＷＢを行ない、その結果により最も発光効率のよいＬＥＤで本発光することを特徴とする。
【発明の効果】
【００１５】
本発明によれば、被写体を照明する光源としてＲ，Ｇ，Ｂ三色のＬＥＤを有する撮像装置において、同じ明るさをより少ない電流で得ることで、シャッターチャンスを逸することがないようにすることができる。
【発明を実施するための最良の形態】
【００１６】
次に、本発明の第１の実施の形態の構成について図面を参照して説明する。
【００１７】
図１は、本実施の形態における被写体を照明する光源として、Ｒ，Ｇ，Ｂ三色のＬＥＤを用いた撮像装置のブロック図である。図１を参照すると、撮像装置１は、信号処理部２、撮像部３、表示部４、記憶部５、通信部６等から構成されている。
【００１８】
信号処理部２は、撮像部３で被写体を撮像して得られた画像データを処理し、表示部４に表示するデータに変換したり、記憶部５に画像データを記録したり、通信部６を介してコンピュータと接続してデータ転送を行なう機能を有している。
【００１９】
撮像装置１内の各システムは、電池７からの電力をＤＣ−ＤＣ８により各システムに必要な電圧に変換して供給される。
【００２０】
また、Ｒ，Ｇ，Ｂ三色のＬＥＤ（Ｒ＿ＬＥＤ９，Ｇ＿ＬＥＤ１０，Ｂ＿ＬＥＤ１１）は、電池の電力をＬＥＤ駆動回路１２でＬＥＤ駆動に必要な電圧・電流に変換され各ＬＥＤに供給される。なお、ＬＥＤの駆動は信号処理部２の信号によってコントロールされる。
【００２１】
そして、電池の残容量は電池残量検出部１３によって検出され信号処理部２にデータが送られる。
【００２２】
なお、ＬＥＤはそれぞれの色で発光効率が異なり、一般的にはＧが最も優れ、次にＲ，最も悪いのがＢである。このため、白色を得るには、それぞれのＬＥＤの光量を同じにするために、流す電流はＢが最も多くなり、次にＲ、最も少ないのはＧとなる。
【００２３】
以下、本実施の形態における処理動作のフローを図面を参照して詳細に説明する。
【００２４】
図２のフローチャートを参照すると、まず、レリーズボタン押下等により撮像が開始される（Ｓ２０１）。
【００２５】
次に、Ｒ，Ｇ，Ｂ三色のＬＥＤを被写体に照射して撮像を行なうモードであるか否かがチェックされる（Ｓ２０２）。ここで、ＬＥＤ照射のモードであると（Ｓ２０２／Ｙｅｓ）、電池残量のデータを参照し、電池残量が三色のＬＥＤ照射に対し十分であるか否かがチェックされる（Ｓ２０３）。一方、ＬＥＤ照射のモードでないと（Ｓ２０２／Ｎｏ）、ステップＳ２０６へ移行し、撮像処理を行ない終了する。
【００２６】
ここで、電池残量が残り少ない、あるいは三色のＬＥＤ照射に対し十分でないときは（Ｓ２０３／Ｎｏ）、Ｒ，Ｇ，Ｂの中で最も発光効率が高いＬＥＤであるＧのみを用いて発光・照射して撮影を行なう（Ｓ２０４）。また、Ｇは撮像素子の感度も高いため、より有利である。これにより、電池残量が少なく、三色のＬＥＤ照射に対し十分でない時も、Ｇのみを用いてＬＥＤ照射による撮影を行なうことができる。Ｇのみを発光させて撮影することによるＷＢ（ホワイトバランス）のズレは、発光させる色がわかっているため、補正が容易であり、あるいはプリ発光して評価値を得てＡＷＢ（オートホワイトバランス）を行なうことで補正が可能である。
【００２７】
一方、三色のＬＥＤ照射に対し十分でないときは（Ｓ２０３／Ｙｅｓ）、Ｒ，Ｇ，Ｂ三色を被写体に照射し（Ｓ２０５）、ステップＳ２０６へ移行し、撮像処理を行ない終了する。
【００２８】
上記の実施の形態によれば、電池の残容量が終了状態に近く、Ｒ，Ｇ，Ｂ三色全てを点灯させるには十分な電池の残容量がない場合は、Ｒ，Ｇ，Ｂの中で最も発光効率が高いＬＥＤのみを、Ｒ，Ｇ，Ｂ三色全てを発光させて得られる白色と同じ光量を得るように発光して撮影することで、より少ない消費電流で発光させることが可能となり、電池残容量の少ない状態においてもシャッターチャンスを逸することがない。
【００２９】
また、電池の残容量が終了状態に近く、Ｒ，Ｇ，Ｂ三色全てを点灯させるには十分な電池の残容量がない場合は、Ｒ，Ｇ，Ｂの中で最も発光効率が高く、撮像素子の感度が高いＧのみを、Ｒ，Ｇ，Ｂ三色全てを発光させて得られる白色と同じ光量を得るように発光して撮影することで、より少ない消費電流で発光させることが可能となり、電池残容量の少ない状態においてもシャッターチャンスを逸することがない。
【００３０】
また、電池の残容量が終了状態に近く、Ｒ，Ｇ，Ｂ三色全てを点灯させるには十分な電池の残容量がない場合は、Ｒ，Ｇ，Ｂの中で最も発光効率が高いＬＥＤのみを、Ｒ，Ｇ，Ｂ三色全てを発光させて得られる白色と同じ光量を得るように発光し、その色に合せたＷＢを行ない撮影することで、より少ない消費電流で発光させることが可能となり、また、最も発光効率のよいＬＥＤのみを発光させたときのＷＢを調整し、電池残容量の少ない状態においてもシャッターチャンスを逸することがない。
【００３１】
また、電池の残容量が終了状態に近く、Ｒ，Ｇ，Ｂ三色全てを点灯させるには十分な電池の残容量がない場合は、Ｒ，Ｇ，Ｂの中で最も発光効率が高いＬＥＤのみを、Ｒ，Ｇ，Ｂ三色全てを発光させて得られる白色と同じ光量を得るように発光することとし、最も発光効率のよいＬＥＤをプリ発光させ、それから得られた評価値に基づいてＡＷＢを行ない撮影することで、より少ない消費電流で発光させることが可能となり、また、最も発光効率のよいＬＥＤのみを発光させたときのＷＢを調整し、電池残容量の少ない状態においてもシャッターチャンスを逸することがない。
【００３２】
次に、本発明の第２の実施の形態の構成について図面を参照して説明する。
【００３３】
図３を参照すると、本実施の形態における撮像装置は、上記の第１の実施の形態とは異なり、電源として２種類の電池を有する。
【００３４】
第一の電池７−１と第二の電池７−２を有し、電池種類判別部１４にてどちらの電池より電源が供給されているか判別を行ない、スイッチにより供給されている電池よりＤＣ−ＤＣに電源を供給する。
【００３５】
以下、本実施の形態における処理動作のフローを図面を参照して詳細に説明する。
【００３６】
図４のフローチャートを参照すると、まず、レリーズボタン押下等により撮像が開始される（Ｓ４０１）。
【００３７】
次に、Ｒ，Ｇ，Ｂ三色のＬＥＤを被写体に照射して撮像を行なうモードであるか否かがチェックされる（Ｓ４０２）。ここで、ＬＥＤ照射のモードであると（Ｓ４０２／Ｙｅｓ）、電源が供給されている電池のデータを参照し、接続された電池の電源供給能力が三色のＬＥＤ照射に対し十分であるか否かがチェックされる（Ｓ４０３）。一方、ＬＥＤ照射のモードでないと（Ｓ４０２／Ｎｏ）、ステップＳ４０６へ移行し、撮像処理を行ない終了する。
【００３８】
ここで、電池の電源供給能力が三色のＬＥＤ照射に対し十分でないときは（Ｓ４０３／Ｎｏ）、Ｒ，Ｇ，Ｂの中で最も発光効率が高いＬＥＤであるＧのみを用いて発光・照射して撮影を行なう（Ｓ４０４）。また、Ｇは撮像素子の感度も高いため、より有利である。電池の電源供給能力が十分ではなく、三色のＬＥＤ照射に対し十分でない時も、Ｇのみを用いてＬＥＤ照射による撮影を行なうことができる。Ｇのみを発光させて撮影することによるＷＢのズレは、発光させる色がわかっているため、補正が容易であり、あるいはプリ発光して評価値を得てＡＷＢを行なうことで補正が可能である。
【００３９】
一方、三色のＬＥＤ照射に対し十分でないときは（Ｓ４０３／Ｙｅｓ）、Ｒ，Ｇ，Ｂ三色を被写体に照射し（Ｓ４０５）、ステップＳ４０６へ移行し、撮像処理を行ない終了する。
【００４０】
上記の実施の形態によれば、電源供給能力が劣りＲ，Ｇ，Ｂ三色全てを点灯させるには十分な電池の供給能力がない場合は、Ｒ，Ｇ，Ｂの中で最も発光効率が高いＬＥＤのみを、Ｒ，Ｇ，Ｂ三色全てを発光させて得られる白色と同じ光量を得るように発光して撮影することで、より少ない消費電流で発光させることが可能となり、電池残容量の少ない状態においてもシャッターチャンスを逸することがない。
【００４１】
また、電池の供給能力がない場合は、Ｒ，Ｇ，Ｂの中で最も発光効率が高く、撮像素子の感度が高いＧのみを、Ｒ，Ｇ，Ｂ三色全てを発光させて得られる白色と同じ光量を得るように発光して撮影することで、より少ない消費電流で発光させることが可能となり、電池残容量の少ない状態においてもシャッターチャンスを逸することがない。
【００４２】
また、電池の供給能力がない場合は、Ｒ，Ｇ，Ｂの中で最も発光効率が高いＬＥＤのみを、Ｒ，Ｇ，Ｂ三色全てを発光させて得られる白色と同じ光量を得るように発光し、その色に合せたＷＢを行ない撮影することで、より少ない消費電流で発光させることが可能となり、また、最も発光効率のよいＬＥＤのみを発光させたときのＷＢを調整し、電池残容量の少ない状態においてもシャッターチャンスを逸することがない。
【００４３】
また、電池の供給能力がない場合は、Ｒ，Ｇ，Ｂの中で最も発光効率が高いＬＥＤのみを、Ｒ，Ｇ，Ｂ三色全てを発光させて得られる白色と同じ光量を得るように発光することとし、最も発光効率のよいＬＥＤをプリ発光させ、それから得られた評価値に基づいてＡＷＢを行ない撮影することで、より少ない消費電流で発光させることが可能となり、また、最も発光効率のよいＬＥＤのみを発光させたときのＷＢを調整し、電池残容量の少ない状態においてもシャッターチャンスを逸することがない。
【００４４】
なお、上述する各実施の形態は、本発明の好適な実施の形態であり、本発明の要旨を逸脱しない範囲内において種々変更実施が可能である。例えば、上記の各実施の形態における撮像装置の機能を実現するためのプログラムを本装置に読込ませて実行することにより本装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００４５】
上述する実施の形態は、各機能が１つのコンピュータシステムとして実現されている構成について説明したが、機能毎に複数の装置などが追加された構成にも適用可能であることはもちろんである。
【図面の簡単な説明】
【００４６】
【図１】本発明の第１の実施形態の撮像装置のブロック図である。
【図２】本発明の第１の実施形態の処理動作を表すフローチャートである。
【図３】本発明の第２の実施形態の撮像装置のブロック図である。
【図４】本発明の第２の実施形態の処理動作を表すフローチャートである。
【符号の説明】
【００４７】
１    撮像装置
２    信号処理部
３    撮像部
４    表示部
５    記憶部
６    通信部
７    電池
８    ＤＣ−ＤＣ
９    Ｒ＿ＬＥＤ
１０    Ｇ＿ＬＥＤ
１１    Ｂ＿ＬＥＤ
１２    ＬＥＤ駆動回路
１３    電池残量検出部
【図１】
2007174563.tif 000003
【図２】
2007174563.tif 000004
【図３】
2007174563.tif 000005
【図４】
2007174563.tif 000006